(57)【要約】【課題】単純なコントロール・インターフェースでより速くより効率的な波形発生器を提供すること。【解決手段】  所望のパルス波形を生成する方法及び装置は、所望のパルス波形を複数のラインセグメントに分割し、波形図を形成するために少なくとも1つのセグメント識別と、セグメント初期値と、セグメント持続長さとを各ラインセグメントに割り当てることにある。パルス発生器１０は、波形図に相応する波形を生成し、このようにして生成された波形を出力するように動作する。【選択図】図１
2008193689.tif 000002
【特許請求の範囲】
【請求項１】
所望のパルス波形を複数のラインセグメントに分割し、波形図を形成するために少なくとも1つのセグメント識別とセグメント初期値とセグメント持続長さとを各ラインセグメントに割り当て、前記波形図に相応する波形を生成するように動作するパルス発生器に前記波形図を供給し、前記のようにして生成された波形を出力することとを含む所望のパルス波形を生成する方法。
【請求項２】
請求項１に記載の所望のパルス波形を生成する方法であって、各ラインセグメントは、他の所望のパルス波形を同期させるように動作するトリガー値が割り当てられる所望のパルス波形を生成する方法。
【請求項３】
請求項１に記載の方法であって、各ラインセグメントは、出力接続体から接続が切り離されている前記パルス発生器のシミュレーションを許すインピーダンス状態が更に割り当てられている所望のパルス波形を生成する方法。
【請求項４】
パルス発生器とコントローラーとから成り、前記コントローラーは、所望のパルス波形を複数のラインセグメントに分割し、波形図を形成するために、各ラインセグメントに少なくとも1つのセグメント識別とセグメント初期値とセグメント持続長さを割り当て、前述波形図に相応する波形を生成するように動作するパルス発生器に前記波形図を供給して所望のパルス波形が出力されるようにした所望のパルス波形を生成する波形発生器。
【請求項５】
請求項５に記載の波形発生器であって、各ラインセグメントは、他の所望のパルス波形を同期させるように動作するトリガー値が更に割り当てられる所望のパルス波形を生成する波形発生器。
【請求項６】
請求項４に記載の波形発生器であって、各ラインセグメントは、出力接続体から接続が切り離されている前記波形発生器のシミュレーションを許すインピーダンス状態が更に割り当てられている所望のパルス波形を生成する波形発生器。
【発明の詳細な説明】
【技術分野】
【０００１】
本発明は、試験器に関し、特に、試験用のパルス波形の生成に関するものである。
【背景技術】
【０００２】
種々の装置用の試験信号の生成は、試験が１００パーセントの試験、徹底的な多数のパラメータ検査及び寿命試験に向けて進につれて次第に重要になってきている。これらの傾向は、すべて、容易に選択され生成されたパルス波形の必要性を生じている。この所望の波形は、多重パルスか、多重レベルパルスか、これらの両方を含んでいる。
【０００３】
ポイントベースによって連続的なポイント上のそのような波形を生成することは、知られているが、これは、相当のデータの蓄積を必要とし、コントロール・インターフェースを複雑にしている。より速くより効率的な波形発生器が必要とされている。
【発明の開示】
【０００４】
所望のパルス波形を生成する方法及び装置は、所望のパルス波形を複数のラインセグメントに分割し、波形図を形成するために少なくとも1つのセグメント識別とセグメント初期値とセグメント持続長さとを各ラインセグメントに割り当てることにある。パルス発生器は、波形図に相応する波形を生成し、このようにして生成された波形を出力するように動作する。
【発明を実施するための最良の形態】
【０００５】
図1を参照すると、波形発生器１０は、コントローラー１２及びパルス発生器１４を含んでいる。動作に際しては、波形発生器１０は、被試験器（ＤＵＴ）１６にパルス波形を供給する。所望の波形がコントローラー１２に入力され、それに相応する波形図(波形描写)は、コントローラー１２によってパルス発生器１４に供給される。その後、パルス発生器１４は、波形図に応じてパルス波形を生成する。
【０００６】
パルス発生器１４は、例えば、波形図に応じて出力信号波形を供給するようにプログラムされているディジタル制御電圧源とすることができる。コントローラー１２は、例えば、汎用計算機、プログラマブル・コントローラ、ＦＰＧＡあるいはこれらに類した装置とすることができる。
【０００７】
図２を参照すると、所望の波形の例が示されている。この波形は、破線によって示された一連のラインセグメントに分割される。波形図の例は、所望の波形として以下に掲げられる。各ラインセグメント毎に、少なくとも1つのセグメント識別(例えばＳｅｇ１、Ｓｅｇ２―――)と、初期値(例えばＶＡ、ＶＢ―――)と、持続長さ(例えばＤＡ、ＤＢ―――)とがある。また、各セグメント毎に、最終値を指定することもできるが、次のセグメントの初期値を使用することが一層単純となる。
【０００８】
コントローラー１２は、所望の波形入力の選択に基づいて、ユーザか又他の試験制御装置によって選択される波形図を記憶することができる。さもなければ、コントローラー１２は、所望の入力波形自体の入力に基づいて、所要の波形図を作成してもよい。更に、紀億されている波形図と所要の波形図との組み合わせを使用してもよい。
【０００９】
パルス発生器１４は、波形図の各ラインセグメントを組み合わせてＤＵＴ１６に印加するパルス波形を形成する。
【００１０】
セグメントは、また、トリガー値(例えばＴＡ、ＴＢ―――)を含むことができる。トリガー値は、1つ以上の追加の所望のパルス波形を同期させるために使用することができる。例えば、最初の波形発生器のトリガー値は、他の追加の波形発生器を指定し、またこの追加の波形発生器のセグメントがいつ生じるべきであるかを指定することができる。
【００１１】
更に、いくつかの試験を行っている間、波形発生器からある時間に零出力を有するだけでなく、ＤＵＴ１６から接続が切り離されている時に実際に現われることが望ましい。これがシミレーションされるのは、波形発生器１０がＤＵＴ１６に高インピーダンス(例えば、接続の切り離しに類するインピーダンス)を選択的に示している場合である。この機能性を提供するために、各セグメントは、インピーダンス状態(例えばＬ、Ｈ)を有しているとよい。状態がＨであると、波形発生器１０は、ＤＵＴ１６から分離されるように思われ、状態がＬであると、ＤＵＴ１６は、適切な負荷インピーダンス(例えば５０オーム)であるのが解る。
【００１２】
本発明の方法および装置は、広範囲の時間基準(例えば複数秒に対してナノセカンド)を扱う便宜な方法を含む単純なコントロール・インターフェース(例えば、セグメント表)を提供する。
【００１３】
上記の開示は、例示にすぎず、この開示に含まれる教示の公正な範囲から逸脱することなく、細部を追加したり、修正したり、除去することにより、種々の変更を行うことができることは、明白である。従って、本発明は、特許請求の範囲が必須として限定することを除いて、この開示の特定の細部に限定されるものではない。
【図面の簡単な説明】
【００１４】
【図１】本発明による波形発生器の一例のブロック図である。
【図２】本発明による波形図の一例のグラフである。
【符号の説明】
【００１５】
１０  波形発生器
１２  コントローラ
１４  パルス発生器
１６  被試験器（ＤＵＴ）
【図１】
2008193689.tif 000003
【図２】
2008193689.tif 000004